(57)【要約】      （修正有）【課題】透明板を装着した一対の枠部材を確実に結合できるとともに必要な場合には両者を容易に分離でき、かつコンパクトな形状を維持できる枠部材の提供。【解決手段】透明板をそれぞれ保持する一対の枠部材２，３と、これら枠部材２，３を互いに両枠部材２，３が重なる位置へ枠面に沿った方向で相対スライド移動させることによって両枠部材２，３を重なった状態で係合連結するスライド係合機構２３，２６，２７と、両枠部材２，３が重なる位置に至ったところで両枠部材２，３の戻りスライド移動を規制する戻り規制機構とを備えている。【選択図】図３
2015205076.tif 000002
【特許請求の範囲】
【請求項１】
透明板をそれぞれ保持する一対の枠部材と、これら枠部材を互いに両枠部材が重なる位置へ枠面に沿った方向で相対スライド移動させることによって前記両枠部材を重なった状態で係合連結するスライド係合機構と、前記両枠部材が重なる位置に至ったところで両枠部材の戻りスライド移動を規制する戻り規制機構とを備えている遊技機の透明板ユニット構造。
【請求項２】
前記相対スライド移動させる方向を、前記透明板ユニットを遊技機に設置した状態における下方向に設定した請求項1に記載の遊技機の透明板ユニット構造。
【請求項３】
前記相対スライド移動の開始に先立って両枠部材を所定のスライド開始位置へ位置決めする位置決め機構をさらに設けた請求項1又は２に記載の遊技機の透明板ユニット構造。
【発明の詳細な説明】
【技術分野】
【０００１】
本発明は遊技機の透明板ユニット構造に関し、特に遊技機の前扉のガラス窓部分に好適に使用できる透明板ユニット構造に関する。
【背景技術】
【０００２】
遊技機の前扉のガラス窓部分あるいはガラス枠は、部材構成や取付け構造の簡略化等のために透明板としてのガラス板を前後に一対対向させた複層ガラスユニットとする場合が多い。従来は、樹脂製の枠部材の両側にそれぞれガラス板を接着剤によって接合固定していた。しかし、この構造では製造の手間を要するとともに、ガラス板の間に混入した異物等を除去することが困難であり、またガラス板の一方が破損等した場合に容易に取り換えることができないという問題があった。
【０００３】
そこで、特許文献１では、それぞれガラス板を装着した一対の枠体を準備し、一方の枠体の四隅に係合突起を設けて、これを他方の枠体に設けた係合穴に着脱可能に挿入固定して両枠体を重ねた状態で固定する構造が提案されている（従来技術１）。また、特許文献２では、ガラス板を装着した一対の枠体を一方の側縁でヒンジ結合して、両枠体を回動開放可能に重ねた構造が提案されている（従来技術２）。
【先行技術文献】
【特許文献】
【０００４】
【特許文献１】特開平８−１７３６１１
【特許文献２】特開２００２−２７３００５
【発明の概要】
【発明が解決しようとする課題】
【０００５】
しかし、従来技術１では、通常、遊技場等に設置される際の遊技機に基づき、その遊技機に対して取り付けられる複層ガラスユニットの取付け位置（設置方向）において、上記複層ガラスユニットを構成する両枠体の係合突起と係合穴の挿入方向が両枠体の分離方向（遊技機における前後方向）に一致しているから、両枠体が不用意に分離しないように係合突起と係合穴の係合強度を上げると、必要な時に両枠体を分離するのが困難になるという問題がある。また、従来技術２では、ヒンジ部分が枠体本体部から突出して全体の形状や厚みが大きくなるという問題がある。
【０００６】
そこで本発明はこのような課題を解決するもので、透明板を装着した一対の枠部材を確実に結合できるとともに必要な場合には両者を容易に分離でき、かつコンパクトな形状を維持できる遊技機の透明板ユニット構造を提供することを目的とする。
【課題を解決するための手段】
【０００７】
上記目的を達成するために、本第１発明では、透明板（Ｇ１，Ｇ２）をそれぞれ保持する一対の枠部材（２，３）と、これら枠部材（２，３）を互いに両枠部材（２，３）が重なる位置へ枠面に沿った方向で相対スライド移動させることによって前記両枠部材（２，３）を重なった状態で係合連結するスライド係合機構（２３，２４，２６，２７，２１３，２２１，２８２，２９２，３１１，３２１，３４２，３５２，３６１，３７１，３８２，３９２）と、前記両枠部材（２，３）が重なる位置に至ったところで両枠部材（２，３）の戻りスライド移動を規制する戻り規制機構（２５２，３３１）とを備えている。
【０００８】
本第１発明においては、透明板ユニットを構成する一対の枠部材を重ねた状態で枠面に沿った方向で相対移動させることによって係合連結しているから、上記に示すように、通常、遊技場等に設置される際の遊技機を基準とした場合の、その遊技機に対して取り付けられる複層ガラスユニットの取付け位置（設置方向）において、上記複層ガラスユニットを構成する両枠部材の分離方向（前後方向）と上記係合方向とが異なっている。したがって、両枠部材を相対的に戻り移動させることによって両枠部材を容易に分離できる構造とした場合でも、両枠部材を確実に係合連結することができる。そして、戻り規制機構を設けることによって確実な係合連結状態を維持することができる。さらに、従来のようにヒンジ部分が枠体本体部から突出して全体の形状や厚みが大きくなることはないから、ユニット全体をコンパクトな形状に維持できる。
【０００９】
本第２発明では、前記相対スライド移動させる方向を、透明板ユニット（Ｕ）を遊技機に設置した状態における下方向に設定する。
【００１０】
本第２発明においては、戻りスライド移動方向は上方向になるから、枠部材の自重によって戻り移動が規制され、さらに確実な係合連結状態を維持することができる。
【００１１】
本第３発明では、前記相対スライド移動の開始に先立って両枠部材（２，３）を所定のスライド開始位置へ位置決めする位置決め機構（２６，２７，３４，３５）をさらに設ける。
【００１２】
本第３発明においては、スライド開始位置が容易に定まるから、相対スライド移動による両枠部材の係合連結をスムーズに行うことができる。
【００１３】
上記カッコ内の符号は、後述する実施形態に記載の具体的手段との対応関係を示すものである。
【発明の効果】
【００１４】
以上のように、本発明の遊技機の透明板ユニット構造によれば、透明板を装着した一対の枠部材を確実に結合できるとともに必要な場合には両者を容易に分離でき、かつコンパクトな形状を維持することができる。
【図面の簡単な説明】
【００１５】
【図１】前扉の裏面側から見た正面図である。
【図２】図１のII−II線に沿った断面図である。
【図３】透明板ユニットを後方から見た全体斜視図である。
【図４】前側に位置する枠部材を後方から見た斜視図である。
【図５】後側に位置する枠部材を前方から見た斜視図である。
【図６】透明板を除いた透明板ユニットの上端部の部分断面斜視図である。
【図７】透明板を除いた透明板ユニットの上側側縁部の部分断面斜視図である。
【図８】透明板を除いた透明板ユニットの裏面視における左側側縁部の部分断面斜視図である。
【図９】透明板を除いた透明板ユニットの底辺部におけるコーナ部の部分断面斜視図である。
【図１０】透明板ユニットの底辺部における中央部の部分断面斜視図である。
【図１１】透明板を除いた透明板ユニットの頂部の部分断面斜視図である。
【図１２】透明板を除いた透明板ユニットの底辺部におけるコーナ部の部分断面側面図である。
【発明を実施するための形態】
【００１６】
図１には、パチンコ遊技機の前扉のガラス窓部分に本発明の透明板ユニット構造を適用した例を示す。図１は遊技機の前扉１を裏面側から見たものであり、前扉１の下部には前面側の中央上下位置にそれぞれ上皿１１と下皿１２が設けられるとともに、前扉１の前面下部右端には遊技球発射ハンドル１３が設けられている。前扉１の下部を除く大部分には、直線状の底辺を有するトンネル断面形状の開口１４が形成されており、当該開口１４を塞ぐように詳細を後述する透明板ユニットＵが設置されている。
【００１７】
透明板ユニットＵは、図１のII−II線に沿った断面図である図２に示すように、透明板としてのガラス板Ｇ１，Ｇ２を保持した一対の枠部材２，３が重ねられて構成されている。すなわち、枠部材２，３はいずれも、図３に示すように、前扉１の開口１４に倣った略同形状のもので、それぞれ直線状の底辺部２１，３１と、馬蹄形状に湾曲して左右の下端で底辺部２１，３１の両端に連続する本体部２２，３２とからなる。そして、枠部材２が前側（遊技者側）に位置し、枠部材３が後側に位置している。なお、枠部材３側のガラス板Ｇ２の右側部の形成領域が、枠部材２のガラス板Ｇ１に対して若干膨らんでいる（図１、図２）。この理由は、発射装置から発射された遊技球を遊技盤の上方へと案内させる発射球案内流路の前面側の区画領域を適切に規制させるためである。
【００１８】
図４に前側に位置する枠部材２を後方から見た全体斜視図を示す。枠部材２には底辺部２１の左右位置に下方へ突出する板状の差込み部２１１，２１２が形成されており、また、本体部２２の上部側縁の左右位置にはそれぞれ外方へ突出する当接部２３，２４が形成されている。そして、差込み部２１１，２１２を前扉１の裏面に設けた受け棚部材１５（図１参照）の差込み孔に挿入するとともに、当接部２３，２４を前扉１の裏面に突設した左右の受け部１６，１７にそれぞれ当接させてこれら受け部１６、１７に形成された差込み孔に挿入させ、かつ下辺部２１（図３）を受け棚部１５上に載置することによって、透明板ユニットＵは左右、前後、および下方向に位置決めされた状態で前扉１に設置される。なお、当接部２３，２４は後述するようにスライド係合機構を兼ねている。そして、後述するロック部材１８、１９を下方向に回動させて後述する枠状片３４、３５に形成される抑止壁３４１、３５１に係合させることにより、透明板ユニットＵの上方向への移動が規制され（上方向が位置決めされ）、透明板ユニットＵが１の裏面側に正規に取り付けられる。
【００１９】
上記枠部材２の頂部中央の外周には後方へ開放する横長の箱状突出片２５が形成されており、当該突出片２５の箱内の一端に円柱状のガイド凸部２５１が形成されるとともに、箱内中央には戻り規制機構を構成する係合凹所２５２（図１１参照）が形成されている。また、枠部材２の頂部外周の左右位置には位置決め機構を構成する、先端が三角屋根形状に屈曲形成された突出片２６，２７が形成されている。これら突出片２６，２７はまた後述するようにスライド係合機構も兼ねている。
【００２０】
また枠部材２の左右の側縁の内周面にはＬ字形の凸部２２１（図４に一方のみ示す）が形成されてスライド係合機構を構成している。さらに枠部材２の底辺部２１の両端に位置するコーナ部２８，２９にはそれぞれ円筒状のガイド凸部２８１，２９１が後方へ向けて突設されている。またコーナ部２８，２９には、前後にずらした板面の間に差し込み空間２８２，２９２が形成されてスライド係合機構を構成している。枠部材２の底辺部２１後面中央には、上下方向へ貫通する横長穴を形成した枠部２１３が突出形成されており、当該枠部２１３はスライド係合機構を構成している。
【００２１】
図５には後側に位置する枠部材３を前方から見た全体斜視図を示す。枠部材３にはその頂部中央外周に横長の突出部３３が形成されており、突出部３３の中央には左右に延びる薄板部の中央に前方へ向けて突出する係合凸部３３１（図１１参照）が形成されている。係合凸部３３１は上側面が水平で下側面が傾斜した爪状断面をなしている。このような係合凸部３３１は戻り規制機構を構成している。
【００２２】
突出部３３の一端には下方へ開放するとともに上下方向へ延びる溝状のガイド凹部３３２が形成されており、ガイド凹部３３２の溝幅は枠部材２の上記ガイド凸部２５１（図４）の径と同程度となっている。
【００２３】
枠部材３の頂部外周の左右位置には、枠部材２の突出片２６，２７（図４）の外形に倣った形状の内部開口を形成した枠状片３４，３５が突出形成されている。枠状片３４，３５の外周からは上方（外方）へ抑止壁３４１，３５１が突出させてあり、また抑止壁３４１，３５１の内周は内方（内部開口の中央方向）へ延出して係合壁３４２，３５２となっている。枠状片３４，３５は位置決め機構を構成しており、また係合壁３４２，３５２はスライド係合機構を構成している。
【００２４】
枠部材３の本体部３２の、上部側縁の左右位置には枠部材２の当接部２３，２４に対応させて、それぞれ外方へ突出する突出部３６，３７が形成されており、各突出部３６，３７には下縁に下方へ延出する係合壁３６１，３７１が形成されている。この係合壁３６１，３７１はスライド係合機構を構成している。
【００２５】
枠部材３の左右の側縁の外周面には枠部材２のＬ字形の凸部２２１（図４）に対応させて逆Ｌ字形の凸部３２１（図５に一方のみ示す）が形成されてスライド係合機構を構成している。
【００２６】
枠部材３の底辺部３１の両端に位置するコーナ部３８，３９には、下外方へ開放し上下方向へ延びるガイド内壁を備えるガイド凹部３８１，３９１が形成されている。また、コーナ部３８，３９の前面にはガイド凹部３８１，３９１に隣接して、逆Ｌ断面の突出部が形成されてその前壁が挿入片３８２，３９２となっている。挿入片３８２，３９２はスライド係合機構を構成している。枠部材３の底辺部３１の中央位置には下面に、板状係合片３１１が下方へ突設されている。係合片３１１はスライド係合機構を構成している。
【００２７】
既述の構造により、枠部材２に枠部材３を重ねて結合する場合には、相対スライド移動構成において、ベース側枠となる枠部材２を先ずは適宜配置させ、その後、相対スライド移動構成において、スライド移動側枠となる枠部材３を枠部材２よりもやや上方（通常、遊技場等に設置される際の遊技機を基準とした場合の、その遊技機に対して取り付けられる複層ガラスユニットの取付け位置（設置方向）を正位置とした際の上方位置）に位置させて、枠部材３を枠部材２に重ねつつ枠部材３の左右の枠状片３４，３５を枠部材２の左右の突出片２６，２７に嵌装して、枠部材２の内部開口内に突出片２６，２７を相対進入させる（図６の鎖線）。これにより、枠部材３が枠部材２に対してスライド開始位置に位置決めされる。このとき、突出片２６、２７の突出形状が、枠形状を有する枠状片３４、３５を突出片２６、２７に対して挿入移動させる際に、適切に嵌装させる為の案内の役割を果たす。
【００２８】
この状態で、枠部材３を枠部材２に対し重なり状態を維持しつつ下方へスライド移動させる。この過程で、枠部材３の頂部に形成されたガイド凹部３３２（図５）が枠部材２の頂部に形成されたガイド凸部２５１（図４）に相対進入するとともに、枠部材３の底辺コーナ部３８、３９に形成された左右のガイド凹部３８１、３９１（図５）が、枠部材２の底辺コーナ部２８、２９に形成された左右のガイド凸部２８１、２９１（図４）に相対進入して、枠部材３の下方へのスライド移動が適正にガイドされる。
【００２９】
枠部材３のスライド移動に伴い図６に示すように枠部材３に設けた枠状片３４，３５の係合壁３４２，３５２（図５）が、枠部材２に設けた突出片２６，２７の背面に当接してこれに係合する。同時に、図７に示すように、枠部材３に設けた突出部３６，３７の係合壁３６１，３７１（図５）が、枠部材２に設けた当接部２３，２４のフランジ部２３１（図７参照）の背面に当接してこれに係合する。さらに図８に示すように、枠部材３の側縁に形成された逆Ｌ字形の凸部３２１が枠部材２の側縁に形成されたＬ字形の凸部２２１に係合する。
【００３０】
また、図９に示すように、枠部材３の底辺コーナ部３８，３９に設けた挿入片３８２，３９２（図９には一方のみ示す）が、枠部材２の底辺コーナ部２８，２９（図４参照）に形成された差し込み空間２８２，２９２内に装入されて、当該空間２８２，２９２の側壁を構成する板部２８３（図９）に当接しこれに係合する。さらに図１０に示すように、枠部材３の底辺部３１に設けた係合片３１１が、枠部材２に設けた枠部２１３の横長穴内に挿入されて、当該横長穴の穴側壁に当接しこれに係合する。以上のようにして両枠部材２，３が重なった状態で確実に係合し連結される。
【００３１】
枠部材が係合連結される過程で、図１１に示すように、枠部材３の爪状係合凸部３３１が若干の弾性変形をした後、枠部材２の係合凹所２５２内に進入し、係合凸部３３１の水平な上側面が係合凹所２５２の内側面に当接して、枠部材３が上方へ戻りスライド移動するのが規制される。同時に図１２に示すように、枠部材３のガイド凹部３８１の内側面に形成された凸部３８３が枠部材２のガイド凸部２８１を乗り越えて最奥へ相対移動すると、凸部３８３がガイド凸部２８１の筒端に当接してその移動を規制し、これによっても枠部材３の上方への戻りスライド移動が規制される。なお、枠部材３のコーナ部３８に形成した開口３８４（図１２）を経てガイド凸部２８１の筒内へネジ部材をねじ込んでさらに両枠部材２，３を強固に結合させることもできる。以上の構造はガイド凸部２９１とガイド凹部３９１についても同様である。
【００３２】
そして、図１に示すように、前扉１の裏面に設けた長板状ロック部材１８，１９を、枠部材３に形成された枠状片３４，３５の抑止壁３４１，３５１の裏面側（遊技盤側）上に旋回させてこれに当接させ上方位置からロック状態とすることによって、重なった状態で係合連結された両枠部材２，３（透明板ユニットＵ）が確実に前扉１の裏面に保持される。すなわち、枠部材２の上方から枠部材３をスライド移動させて透明板ユニットＵを形成し、当該透明板ユニットＵにおける枠部材３を上方からロック部材１８、１９によりロックさせて透明板ユニットＵを前扉１に固定保持させているから、結果的に、枠部材２が上方に向けて移動することが規制されて確実に前扉１に固定保持される。
【００３３】
ガラス板Ｇ１，Ｇ２の間に混入した異物等を除去し、あるいは破損したガラス板Ｇ１，Ｇ２の一方を取り換える必要が生じた場合等には、ロック部材１８，１９のロック状態を解消し、両枠部材２，３を上方へ引き上げて前扉１から離脱させる。この際、枠部材２の頂部左右位置に形成された突出片２６，２７の三角屋根状部を掴むことによって枠部材２，３の引き上げを容易に行うことができる。このように、突出片２６、２７は透明板ユニットＵを一ユニットとして構成した場合の持ち手部を兼用するように形成することができる。枠部材２側に持ち手部を形成する事で、その枠部材２における上方方向から係合される枠部材３が、透明板ユニットＵを移動させるときに不要に枠部材２から脱落して外れてしまう事象が確実に規制される。その後、枠部材２の突出部に形成した挿入孔（図６）３３２を介して横方向から棒形状の操作部材を挿入して係合凸部３３１を弾性変形させることによって、係合凸部３３１と係合凹所２５２の当接状態を解消して枠部材３を、ガイド凸部２８１が相対的に凸部３８３（（図１２）を乗り越えられる程度の力で戻しスライド移動させる。これにより、両枠部材２，３の係合連結状態が解消される。
【００３４】
このようにして、本実施形態によれば、一対の枠部材２，３をスライド係合機構によって確実に結合できるとともに、必要な場合には両者を容易に分離することができる。そして従来のようにヒンジ部分が突出することも無いから透明板ユニットＵ全体としてコンパクトな形状を維持することができる。
【００３５】
上記実施形態において、ガラス板Ｇ１，Ｇ２と樹脂製の枠部材２，３とを金型内でインサート射出成形によって一体的に単品ユニットとして成形しても良いし、ガラス板Ｇ１，Ｇ２を枠部材２，３に接着剤等で一体的に固着して単品ユニットとしても良い。なお、透明板はガラス板に限定されず、透明性を有する樹脂材で形成しても良い。この場合には枠部材も透明性を有する樹脂材で形成して透明板と枠部材とを一体的に成形し単品ユニットとすることができる。さらに、二つの単品ユニットの内のどちらか一方のみをこのような方法で製造するようにしても良い。
【符号の説明】
【００３６】
１…前扉、２，３…枠部材、２３，２４…当接部（スライド係合機構）、２６，２７…突出片（スライド係合機構、位置決め機構）、３４，３５…枠状片（位置決め機構）、２１３…枠部（スライド係合機構）、２２１…凸部（スライド係合機構）、２５２…係合凹所（戻り規制機構）、２８２，２９２…差し込み空間（スライド係合機構）、３１１…係合片（スライド係合機構）、３２１…凸部（スライド係合機構）、３３１…係合凸部（戻り規制機構）、３４２，３５２…係合壁（スライド係合機構）、３６１，３７１…係合壁（スライド係合機構）、３８２，３９２…挿入片（スライド係合機構）、Ｇ１，Ｇ２…ガラス板（透明板）、Ｕ…透明板ユニット。
【図１】
2015205076.tif 000003
【図２】
2015205076.tif 000004
【図３】
2015205076.tif 000005
【図４】
2015205076.tif 000006
【図５】
2015205076.tif 000007
【図６】
2015205076.tif 000008
【図７】
2015205076.tif 000009
【図８】
2015205076.tif 000010
【図９】
2015205076.tif 000011
【図１０】
2015205076.tif 000012
【図１１】
2015205076.tif 000013
【図１２】
2015205076.tif 000014